(57)【要約】  ジョイントスタッド（２；１０２；２０２；３０２；４０２）を有するジョイント−および／またはベアリングボディを備えたジョイント−および／またはベアリング装置（１；１０１；２０１；３０１；４０１）であって、ジョイント−および／またはベアリングボディが、収容開口（６）、たとえばトランスバースリンク（７）に設けられた圧入開口内にしっかりと保持可能であり、このためにスタッド端部（９）の方向へ先細りになった、環状体（１０；１０ａ；２１０；３１０）、特に円錐ディスクにおける少なくとも所定の範囲での支持のための少なくとも１つの先細り区分（８）を有しており、該先細り区分（８）に、スタッド端部（９）に向かって、平行壁状であるかまたは前記先細り区分（８）に比べて軽度に先細りになった区分（１１）が続いている形式のものにおいて、本発明の構成では、環状体（１０；１０ａ；２１０；３１０）に支持された先細り区分（８）と、スタッド端部（９）に向かって軽度に先細りになっているかまたは円筒状である区分（１１）との間の移行部（１４）が、環状体（１０；１０ａ；２１０；３１０）の軸方向延在長さの外に設置されている。
2008545929.tif 000002
【特許請求の範囲】
【請求項１】
ジョイントスタッド（２；１０２；２０２；３０２；４０２）を有するジョイント−および／またはベアリングボディを備えたジョイント−および／またはベアリング装置（１；１０１；２０１；３０１；４０１）であって、ジョイント−および／またはベアリングボディが、収容開口（６）、たとえばトランスバースリンク（７）に設けられた圧入開口内にしっかりと保持可能であり、このためにスタッド端部（９）の方向へ先細りになった、環状体（１０；１０ａ；２１０；３１０）、特に円錐ディスクにおける少なくとも所定の範囲での支持のための少なくとも１つの先細り区分（８）を有しており、該先細り区分（８）に、スタッド端部（９）に向かって、少なくとも部分的に円筒状であるかまたは前記先細り区分（８）に比べて軽度に先細りになった区分（１１）が続いている形式のものにおいて、環状体（１０；１０ａ；２１０；３１０）に支持された先細り区分（８）と、スタッド端部（９）に向かって軽度に先細りになっているかまたは円筒状である区分（１１）との間の移行部（１４）が、環状体（１０；１０ａ；２１０；３１０）の軸方向延在長さの外に設置されていることを特徴とするジョイント−および／またはベアリング装置。
【請求項２】
ジョイントスタッド（２；１０２；２０２；３０２；４０２）が、収容開口（６）を取り囲む材料に比べて、より強固な材料から形成されている、請求項１記載のジョイント−および／またはベアリング装置。
【請求項３】
先細り区分（８）が、その軸方向延在長さの少なくとも一部に、スタッドの軸線（１５）に対して１５〜２０゜の勾配角度を有している、請求項１または２記載のジョイント−および／またはベアリング装置。
【請求項４】
先細り区分（８）が段付け（１６）されていて、そのスタッド端部（９）とは反対の方向に円筒状の区分または比較的小さな勾配しか有しない区分（８ｂ）を有している、請求項１から３までのいずれか１項記載のジョイント−および／またはベアリング装置。
【請求項５】
先細り区分（８）が、スタッド端部（９）に向かって減少または増大する可変の勾配を有している、請求項１から４までのいずれか１項記載のジョイント−および／またはベアリング装置。
【請求項６】
先細り区分（８）を支持する環状体（１０；１０ａ；１１０；２１０；３１０）が、収容開口（６）の内壁にも、ジョイントスタッド（２；１０２；２０２；３０２；４０２）の外壁にも接触している、請求項１から５までのいずれか１項記載のジョイント−および／またはベアリング装置。
【請求項７】
環状体（１０；１０ａ；１１０；２１０；３１０）の、ジョイントスタッド（２；１０２；２０２；３０２；４０２）の外壁に面した外側輪郭が、ジョイントスタッド（２；１０２；２０２；３０２；４０２）の支持された先細り区分（８）に適合して、ジョイントスタッド（２；１０２；２０２；３０２；４０２）の支持された先細り区分（８）に対して相補的な対応する勾配角度を持ってほぼ円錐状に形成されている、請求項６記載のジョイント−および／またはベアリング装置。
【請求項８】
環状体（１０；１０ａ；１１０；２１０；３１０）の、ジョイントスタッド（２；１０２；２０２；３０２；４０２）に面した内側輪郭が、放物線状、双曲線状または円錐状に形成されている、請求項６または７記載のジョイント−および／またはベアリング装置。
【請求項９】
環状体（１０；１０ａ；１１０；２１０；３１０）が、ジョイントスタッド（２；１０２；２０２；３０２；４０２）とほぼ同強固な材料から成っている、請求項１から８までのいずれか１項記載のジョイント−および／またはベアリング装置。
【請求項１０】
当該ジョイント−および／またはベアリング装置が、軸方向でも半径方向でも曲げ負荷に対して負荷耐性を有している、請求項１から９までのいずれか１項記載のジョイント−および／またはベアリング装置。
【請求項１１】
環状体（１０；１０ａ；１１０；２１０；３１０）が、負荷の優先方向に抗して作用するために、回転対称とは異なる細長形状を有している、請求項１から１０までのいずれか１項記載のジョイント−および／またはベアリング装置。
【請求項１２】
収容開口（６）が、鋳造材料から成るリンクまたはキャリヤ（７）から切り欠かれている、請求項１から１１までのいずれか１項記載のジョイント−および／またはベアリング装置。
【請求項１３】
ジョイントスタッド（２；１０２；２０２；３０２；４０２）が、スタッド端部（９）に対応するねじ山（１２）と、緊締部材（１３）とを介して軸方向にプレロードもしくは予荷重をかけられるようになっている、請求項１から１２までのいずれか１項記載のジョイント−および／またはベアリング装置。
【請求項１４】
特にシャーシ部分および／またはステアリング部分の内部の、請求項１から１３までのいずれか１項記載のジョイント−および／またはベアリング装置（１；１０１；２０１；３０１）を少なくとも１つ備えた自動車。
【発明の詳細な説明】
【技術分野】
【０００１】
本発明は、請求項１の上位概念部に記載の形式の、ジョイントスタッドを有するジョイント−および／またはベアリングボディを備えた、ジョイント機能およびベアリング機能の少なくともいずれか一方の機能を備えたジョイント−および／またはベアリング装置、つまりジョイント−および／またはベアリングボディが、収容開口、たとえば横方向リンクもしくはトランスバースリンク（Querlenker）に設けられた圧入開口内にしっかりと保持可能であり、このためにスタッド端部の方向へ先細りになった、環状体、特に円錐ディスクにおける少なくとも所定の範囲での支持のための少なくとも１つの先細り区分を有しており、該先細り区分に、スタッド端部に向かって、少なくとも部分的に円筒状であるかまたは前記先細り区分に比べて軽度に先細りになった区分が続いている形式のジョイント−および／またはベアリング装置ならびに特にシャーシ部分および／またはステアリング部分に、このような形式のジョイント−および／またはベアリング装置を１つまたは複数個備えた自動車に関する。
【０００２】
軟質の材料、たとえば鉄鋳物またはアルミニウム鋳物から成る、たとえばホイールキャリヤ、ウオッシュボーンもしくはトランスバースリンク（Querlenker）または収容開口を有する類似のキャリヤに保持されなければならない、たとえば鋼から成る強固なスタッドを有するジョイント装置においては、この軟質の材料を過度に著しく負荷することなしに収容開口内でのスタッドの安定的でかつ公差の少ない結合を達成することが困難となる。このためには、強固なスリーブをキャリヤ内に圧入することが知られている。しかし、このことには次のような欠点がある。すなわち、この圧入時に、収容開口を取り囲む材料へ高い力が作用し、この力が収容開口の拡開を招く恐れがあり、かつ収容開口にはしばしば僅か数ミリメートルの材料しか提供されていないので、キャリヤを過度に著しく弱めてしまう恐れがある。
【０００３】
さらに、スタッドに円錐ディスクをプレス嵌め式に押し被せることが知られている。このためには、スタッドが平行壁状の区分を有しており、この区分に円錐ディスクが押し被せられる。この場合、円錐ディスクは、スタッドに設けられた円錐状の区分が、この円錐ディスクに設けられた斜面に対して軸方向の引張によって緊締され得るように押し被せられる。力伝達のために働く、円錐ディスクに対するスタッドの斜めの当付け面はこの場合、極めて小さく形成されており、さらに円錐状のスタッド区分からスタッドの軸方向の区分への移行部では、特に曲げ応力の発生時に弱化が生ぜしめられる。
【０００４】
本発明の根底を成す課題は、収容開口内でのスタッドの保持の改善を達成することである。
【０００５】
この問題は本発明によれば、請求項１の特徴部に記載の特徴を有するジョイント−および／またはベアリング装置、つまり環状体に支持された先細り区分と、スタッド端部に向かって軽度に先細りになっているかまたは円筒状である区分との間の移行部が、環状体の軸方向延在長さの外に設置されていることを特徴とするジョイント−および／またはベアリング装置ならびに請求項１４の特徴部に記載の特徴を有する自動車、つまり特にシャーシ部分および／またはステアリング部分の内部の、当該ジョイント−および／またはベアリング装置を少なくとも１つ備えた自動車により解決される。本発明の有利な構成および改良形に関しては、請求項２〜請求項１３に記載されている。
【０００６】
本発明によれば、ジョイントスタッドが力伝達範囲において弱個所を有しないままとなり、しかも収容開口内へのスリーブの圧入も実施されなくて済むことが達成されている。したがって、この収容開口を取り囲むキャリヤは最小限にしか負荷されず、極めて薄くかつ比較的軟質でかつ軽量の材料、たとえば軽金属鋳物から形成されていてよい。この場合、環状体をジョイントスタッドにプレス嵌め式に押し被せる必要はない。
【０００７】
それにもかかわらず、先細り区分はその軸方向延在長さの少なくとも一部に、スタッドの軸線に対して１５〜２０゜の勾配角度を有していてよく、ひいては高い軸方向のプレロードもしくは予荷重を可能にすることもできる。
【０００８】
それにもかかわらず、先細り区分が段付けされていて、そのスタッド端部とは反対の方向に軸平行な円筒状の区分または比較的小さな勾配しか有しない区分が形成されていると、ジョイントスタッドへの環状体の押し被せまたはセルフロック式、つまり緩み止め式の緊密な結合が可能となる。これにより、それにもかかわらず、ジョイントスタッドの、環状体、特に円錐ディスクに支持された先細り区分は、影響を与えられることなしに円錐ディスクへの最大力伝達を実施することができる。この限りでは、スタッド端部とは反対の側における段付けが無害となる。
【０００９】
先細り区分が、スタッド端部に向かって減少する可変の勾配を有していると、曲げ負荷に抗した特に良好な支持が確保されると同時に、軸方向の高いプレロードもしくは予荷重が得られる。この勾配は屈曲個所なしに、スタッド端部に向かって続いた、たとえば平行壁状の円筒状の範囲へ移行することができる。
【００１０】
開いた環状体または閉じた環状体の外側輪郭には、低い要求しか課されない。この環状体は収容開口のキャリヤ内に圧入されている必要はなく、たとえば接着またはその他の手段によって保持されていてもよい。これにより、環状体の種々の外側形状もしくは外側輪郭も可能となる。たとえばこの外側輪郭は放物線状、双曲線、円錐状または球セグメント状に形成されていてもよい。
【００１１】
環状体が、ジョイントスタッドとほぼ同強固もしくは同堅固の材料から成っている場合には、両部分のうちの一方の構成部分の塑性変形の危険が信頼性良く防止されている。作用する力および応力はこれらの構成部分の間に均一に分配され得る。
【００１２】
このようなジョイント−および／またはベアリング装置には軸方向のプレロードもしくは予荷重を用いて、軸方向でも、大きな面状支持に基づいても、著しい曲げ負荷を加えることができる。
【００１３】
軸方向のプレロードもしくは予荷重をかけるためには、ジョイントスタッドがスタッド端部にねじ山を有していて、対応するナットを介して規定されたプレロードもしくは予荷重をかけられているようになっている。
【００１４】
これによって、本発明によるジョイント−および／またはベアリング装置は、たとえば自動車のシャーシ部分および／またはステアリング部分の内部で、たとえばホイール懸架装置の一部を支持する際に、比較的軟質の部分に設けられた収容開口内での、比較的強固な構成部分の、高負荷されかつそれにもかかわらず重量最適化された保持部においても使用可能となる。
【００１５】
本発明の別の利点および特徴は、図面に図示された、以下に説明する本発明の対象の実施例から明らかとなる。
【００１６】
図面中、
図１は、トランスバースリンクに保持されたスタッドと、上方へ向けられたスタッド端部とを備えた本発明によるジョイント−および／またはベアリング装置を示す概略図であり、
図２は、図１のＩＩで示した部分にほぼ相当する詳細図であり、
図３は、円錐状のスタッド区分の、スタッド端部とは反対の側における付加的な段付け部を有するジョイント−および／またはベアリング装置を、ジョイントシェルおよびシール部材の組付け前の状態で示す、図２と類似の詳細図であり、
図４は、図３のＩＶで示した部分の拡大図であり、
図５は、図３と類似の詳細図であるが、ただしジョイントスタッドの円錐状の区分における一貫した勾配と、スタッド端部へ向かってこの区分を越えて突出した円錐ディスクとを有する実施例を示しており、
図６は、図５と類似の詳細図であるが、ただし円錐ディスクに支持された区分の凹面状の構成を有する実施例を示しており、
図７は、図６と類似の詳細図であるが、ただし円錐ディスクに支持された区分の凸面状の構成を有する実施例を示しており、
図８は、図２と類似の詳細図であるが、ただし、より細い区分への移行部に、ジャーナル端部に向かって大きくなる勾配を有する実施例を示している。
【００１７】
図１および図２に図示の第１実施例によるジョイント−および／またはベアリング装置１（以下、「ジョイント・ベアリング装置１」と呼ぶ）は、軸方向に延びかつ全体的にはスタッド状に形成されているジョイント−および／またはベアリングボディ２（以下、「ジョイント・ベアリングボディ２」と呼ぶ）を有している。このジョイント・ベアリングボディ２は、たとえばほぼ球形の加工成形部により形成されたジョイント・ベアリングヘッド３を備えている。このジョイント・ベアリングヘッド３は、しばしばスリットを備えているジョイント・ベアリングシェル４内に可動に保持されていてよい。ジョイント・ベアリングヘッド３とジョイント・ベアリングシェル４との間の接触範囲のためには、付加的なシール部材５が設けられていてよい。このシール部材５は外部の汚染を回避しかつ潤滑剤溜めを保持するために働く。
【００１８】
しかし、本発明によるジョイント・ベアリング装置１，１０１，２０１，３０１，４０１は種々様々に形成されていてよい。いずれの場合にも、このジョイント・ベアリング装置１，１０１，２０１，３０１，４０１においては、比較的軟質の材料に設けられた開口６と、強固なジョイント・ベアリングボディ２との間の結合のために、ジョイント・ベアリングボディ２，１０２，２０２，３０２，４０２が少なくとも所定の範囲においてスタッド状に形成されている。このジョイント・ベアリングボディは収容開口、つまりこの場合にはトランスバースリンク７に設けられた圧入開口６内にしっかりと保持可能となる。トランスバースリンク７は、たとえば比較的軟質のアルミニウム材料、マグネシウム材料または鉄鋳物材料または鉄鍛造材料から成っていて、圧入開口６の周囲には、たとえば僅か２〜５ミリメートルの厚さの少量の材料しか有していなくてよく、これにより当該構成ユニットの寸法および重量ができるだけ小さく保持される。
【００１９】
このようなジョイント・ベアリング装置１，１０１，２０１，３０１，４０１はプレス嵌めによって軸方向に圧入され得る。ジョイント・ベアリング装置も、このジョイント・ベアリングを収容するトランスバースリンク７に設けられた圧入開口６の内寸法も、僅か数百分の一ミリメートルの範囲の直径公差を持って製作されていてよい。
【００２０】
特にシャーシ部分またはステアリング部分、たとえばトランスバースリンク７の圧入開口６内にジョイント・ベアリングボディ２をしっかりと支持するために、図１に示したジョイント・ベアリングボディ２は、ジョイント・ベアリングヘッド３とは反対の側に設置されたスタッド端部９の方向へ先細りになった少なくとも１つの先細り区分８を有している。この先細り区分８を介して、ジョイント・ベアリングボディ２は間接的に圧入開口６に対して支持されている。ジョイント・ベアリングボディ２は圧入開口６を取り囲む材料に比べて著しく硬く形成されていてよく、たとえばクロムモリブデン鋼から成っていてよいので、このジョイント・ベアリングボディ２と圧入開口６との間には、開いたまたは閉じられた環状体１０、特に円錐ディスクが挿入されている。この環状体１０もしくは円錐ディスクは圧入開口６の縁部とも、先細り区分８とも接触している。この環状体１０は、ジョイント・ベアリングボディ２もしくはスタッドとほぼ同強度の材料から成っている。
【００２１】
図５から判るように、円錐ディスクもしくは環状体１０ａはスタッド端部９に向かって、この円錐ディスクもしくは環状体１０ａに支持された先細り区分８を越えて突出しているか、または図１に図示されているように先細り区分８の、スタッド端部９寄りの端部１７の完全に上方に位置していてよい。両者の場合とも、支持された円錐状の先細り区分８は円錐ディスクもしくは環状体１０，１０ａを介してのみ圧入開口６の内壁と接触している。
【００２２】
スタッド端部９へ向かって、先細り区分８の端部１７には、一層細くかつ少なくとも部分的に平行な、つまり円筒状の、あるいは先細り区分８に比べて軽度に先細りになった区分１１が続いている。この区分１１は、圧入開口６の最も狭い個所をも貫通しかつナット１３または別の締付け部材と協働するためのねじ山１２に移行し得るようにするために十分に小さな直径を有している。これにより、スタッドもしくはジョイント・ベアリングボディ２は軸方向でプレロードもしくは予荷重をかけられる。このようなジョイント・ベアリング装置１は、たとえばロアアームとステアリングナックルとを連結する、ホイールを車両長手方向軸線に対して相対的に正確に規定された位置に案内する「ガイドジョイント（Ｆｕｅｈｒｕｎｇｓｇｅｌｅｎｋ）」における半径方向の負荷に抗しても、アッパアームとナックルとを連結する、車両全重量により負荷される「サポートジョイント（Ｔｒａｇｇｅｌｅｎｋ）」における軸方向および半径方向の負荷に抗しても作用することができる。
【００２３】
高い負荷のためには、先細り区分８と環状体１０との間にできるだけ大きな接触面が必要となる。
【００２４】
本発明によれば、このために、環状体１０に支持された先細り区分８と、スタッド端部９に向かって続いた、より細い区分１１との間の移行部１４が、スタッド端部９の方向における環状体１０の軸方向の延在長さの外に設定されている。これにより、（図２参照）環状体１０の内面が、先細り区分８に対して完全に接触し得るようになるので、大きな力導入面が得られる。この力導入面は、折曲がり部またはこれに類する移行部１４によって弱められていない。なぜならば、この移行部１４が環状体１０と、スタッドもしくはジョイント・ベアリングボディ２の、支持された先細り区分８との間の接触面外に位置しているからである。
【００２５】
図８に示したジョイント・ベアリング装置４０１では、スタッドもしくはジョイント・ベアリングボディ４０２の支持された先細り区分８から、より細い区分１１への移行部１４に、より大きな勾配（Steigung）を提供することができるので、この区分１１が、支持された先細りに区分８よりも全体的に軽度に先細りになっている必要はないことが明らかとなる。
【００２６】
組み付けられた位置において環状体１０に支持された先細り区分８は、図１および図２に示した第１実施例において先細り区分８の全軸方向延在長さを占める部分８ａを有しており、この部分８ａは、この場合にスタッドもしくはジョイント・ベアリングボディ２の軸線１５に対して１５〜２０゜の均一な勾配角度を有している。したがって、先細り区分８の勾配は第１実施例では均一な直線状である。このことは、別の実施例において説明されているように必ずしもそうであるとは限らない。
【００２７】
先細り区分８の勾配角度が小さくなればなるほど、円錐ディスクとして形成された環状体１０の押し被せも、該環状体１０がスタッドもしくはジョイント・ベアリングボディ２から滑脱する恐れなしにますます容易に可能となる。
【００２８】
このために、図３および図４に示した第２実施例によるジョイント・ベアリング装置１０１に関しては、円錐ディスクもしくは環状体１１０との緊密でかつセルフロック式もしくは緩み止め式の結合のために、スタッドもしくはジョイント・ベアリングボディ１０２の、環状体１１０に支持された先細り区分８が、段付けされて段付け縁部１６を形成しており、これにより、軸方向で円錐ディスクと緊締された区分８ａと、スタッド端部９とは反対の方向で軸平行な区分または小さな勾配の区分８ｂとが形成されている。これにより、それにもかかわらず、スタッドもしくはジョイント・ベアリングボディ２の、環状体１０、特に円錐ディスクに支持された区分８ａは、何ら影響を与えられることなしにこの円錐ディスクへの最大力伝達を実施することができる。それに対して、区分８ｂには、環状体１０が押し被せられていてよい。先細り区分８の、スタッド端部９とは反対の側に段付け縁部１６を設けることは、スタッド端部９寄りの側の区分８ａの支持に対して不都合な影響を与えない。
【００２９】
段付け縁部１６に対して付加的にまたは択一的に、先細りに区分８が、図６に示したスタッド端部９に向かって減少する可変の勾配または図７に示したスタッド端部９に向かって増大する勾配を有していてもよい。
【００３０】
図６に示したジョイント・ベアリング装置２０１では、ジョイントスタッドもしくはジョイント・ベアリングボディ２０２が凹面状に形成されている。このような凹面状の構成では、先細り区分８が、如何なる屈曲個所または別の弱化部もなしに、スタッド端部９に向かって続いている、より細い区分１１へ移行していてよい。この移行部に図示されている溝は、純然たる製作技術的な要因に起因するものであり、しかもこの溝は支持された先細り区分８の、軸方向で見て大きく外に位置している。環状体２１０の、ジョイントスタッドもしくはジョイント・ベアリングボディ２０２の外壁に面した内側輪郭は、ジョイントスタッドもしくはジョイント・ベアリングボディ２０２の支持された、先細り区分８に適合して、ジョイントスタッドの凹面状の構成に対して相補的な凸面状の構成を備えている。
【００３１】
全く逆の状況が、図７に示した構成である。この場合、ジョイント・ベアリング装置３０１のスタッドもしくはジョイント・ベアリングボディ３０２は凸面状の先細り区分８を備えており、相応して環状体３１０の内壁は、この凸面状の構成に適合して凹面状に形成されている。
【００３２】
いずれの場合でも、先細り区分８の少なくとも１つの部分範囲においては、締付け部材もしくはナット１３を介した軸方向のプリロードもしくは予荷重を達成し得るようにするために十分に大きな勾配が提供されていなければならない。
【００３３】
したがって、先細り区分８の形状は全体的に双曲線状に形成されていても、放物線状に形成されていても、段付け部を持って形成されていても、または段付け部なしに形成されていても、あるいはまたその他の形式に形成されていてもよく、ただしいずれの場合にも、別の、より細い区分１１へのスタッド端部側の移行部１４が、環状体１０，１１０，２１０，３１０に対する支持範囲を成す先細り区分８の外に位置している。
【００３４】
支持範囲を成す先細り区分８と、環状体１０，１１０，２１０，３１０との間の結合は種々様々に形成されていてよい。押し被せによるプレス嵌めの他に、たとえば接着結合も可能となり得る。また、ルーズな緩い接触時には、シール部材５によってのみ結合を生ぜしめることもできる。
【００３５】
また、環状体１０，１０ａ，１１０，２１０，３１０の、収容開口６の内壁に面した側の外側輪郭も種々様々に成形されていてよく、たとえば放物線状、双曲線状または円錐状に形成されていてよい。
【００３６】
環状体１０，１０ａ，１１０，２１０，３１０は、いかなる場合にも、スタッド軸線に対して回転対称的に形成されている必要はなく、たとえば当該ジョイント・ベアリング装置が所定の優先力方向で曲げ負荷される場合、たとえば１つの平面内でのみ常時繰り返される曲げ負荷にさらされる場合には、楕円形または別様式の細長形状でこのような負荷に抗して作用するために形成されていてよい。その場合、ジョイントスタッドもしくはジョイント・ベアリングボディ２，１０２，２０２，３０２，４０２自体は、適合された、たとえば楕円形の横断面を有していてよい。
【００３７】
円錐ディスクを成す環状体１０，１０ａ，１１０，２１０，３１０の、直接に比較的軟質の構成部分もしくはトランスバースリング７に接触している外面１８についても、種々様々な加工成形が考えられる。この場合、要求に応じて、軸方向および半径方向の支持が与えられていると望ましい。さらに、この場合にも、比較的軟質の構成部分７の点状に過度に大きくなる負荷を回避し、ひいては塑性変形の危険を回避するために、大きな接触面が役立つ。
【図面の簡単な説明】
【００３８】
【図１】トランスバースリンクに保持されたスタッドと、上方へ向けられたスタッド端部とを備えた本発明によるジョイント−および／またはベアリング装置を示す概略図である。
【図２】図１のＩＩで示した部分にほぼ相当する詳細図である。
【図３】円錐状のスタッド区分の、スタッド端部とは反対の側における付加的な段付け部を有するジョイント−および／またはベアリング装置を、ジョイントシェルおよびシール部材の組付け前の状態で示す、図２と類似の詳細図である。
【図４】図３のＩＶで示した部分の拡大図である。
【図５】図３と類似の詳細図であるが、ただしジョイントスタッドの円錐状の区分における一貫した勾配と、スタッド端部へ向かってこの区分を越えて突出した円錐ディスクとを有する実施例を示している。
【図６】図５と類似の詳細図であるが、ただし円錐ディスクに支持された区分の凹面状の構成を有する実施例を示している。
【図７】図６と類似の詳細図であるが、ただし円錐ディスクに支持された区分の凸面状の構成を有する実施例を示している。
【図８】図２と類似の詳細図であるが、ただし、より細い区分への移行部に、ジャーナル端部に向かって大きくなる勾配を有する実施例を示している。
【符号の説明】
【００３９】
１，１０１，２０１，３０１，４０１  ジョイント・ベアリング装置
２，１０２，２０２，３０２，４０２  ジョイント・ベアリングボディ
３  ジョイント・ベアリングヘッド
４  ジョイント・ベアリングシェル
５  シール部材
６  圧入開口
７  トランスバースリンク
８  先細り区分
９  スタッド端部
１０，１０ａ，１１０，２１０，３１０  環状体
１１  円筒状の区分
１２  ねじ山
１３  ナット
１４  移行部
１５  軸線
１６  段付け縁部
１７  端部
１８  外面
【図１】
2008545929.tif 000003
【図２】
2008545929.tif 000004
【図３】
2008545929.tif 000005
【図４】
2008545929.tif 000006
【図５】
2008545929.tif 000007
【図６】
2008545929.tif 000008
【図７】
2008545929.tif 000009
【図８】
2008545929.tif 000010
【国際調査報告】
2008545929.tif 000011
2008545929.tif 000012
2008545929.tif 000013
2008545929.tif 000014
2008545929.tif 000015
2008545929.tif 000016